(57)【要約】【課題】優れたルアーアクションを実現し、対象魚に対する強いアピール効果を得る釣り用ルアーを提供する。【解決手段】リップ２の基部付近の口元部６に開設された流入口１４と、目部７の側近に開設された流出口１５とを有し、流入口１４および流出口１５間に上方へ指向する流路が形成される。ルアーボディ１内で流入口１４から流出口１５に向って上方へ指向するガイド壁１６を設ける。流入口１４はルアーボディ１の略正面方向を向いて開口する。流出口１５は略上方を向いて開口する。ルアーボディ１の外側部におけるエラ部８の下縁部から胸ビレ部９にかけて、ルアーボディ１の後上方へ指向する溝状部１７を凹設する。【選択図】       図１
2005269934.tif 000002
【特許請求の範囲】
【請求項１】
小魚を模した外観形状となるように形成されたルアーボディの先端部付近にリップを備えた釣り用ルアーであって、
前記リップの基部付近の口元部に開設された流入口と、目部の側近に開設された流出口とを有し、前記流入口および前記流出口間に上方へ指向する流路が形成されるようにしたことを特徴とする釣り用ルアー。
【請求項２】
前記ルアーボディ内で前記流入口から前記流出口に向って上方へ指向するガイド壁を設けたことを特徴とする請求項１に記載の釣り用ルアー。
【請求項３】
前記流入口は前記ルアーボディの略正面方向を向いて開口するとともに、前記流出口は略上方を向いて開口することを特徴とする請求項１または２に記載の釣り用ルアー。
【請求項４】
前記ルアーボディの外側部におけるエラ部の下縁部から胸ビレ部にかけて、前記ルアーボディの後上方へ指向する溝状部を凹設したことを特徴とする請求項１〜３のいずれか１項に記載の釣り用ルアー。
【発明の詳細な説明】
【技術分野】
【０００１】
本発明は、典型的には小魚を模して形成されたルアーボディの先端部付近にリップを備えた釣り用ルアーに関するものである。
【背景技術】
【０００２】
ルアー釣りにおいて、対象魚の種類等に応じて様々な形態や工夫が施されたルアーが考案されている。たとえば、所謂フィッシュイーターと呼ばれる主に小魚を常食餌とする大型の対象魚の場合、小魚に似せた形態のルアーが使用される。対象魚を誘い、つまり対象魚に対して強くアピールする集魚効果を得るために、ルアーの形や色彩等につき工夫がなされている。
【０００３】
また、ルアーにおける対象魚に対するアピール効果は形態ばかりでなく、ルアーが水中での遊泳中にとるルアーアクションもまた重要なポイントになる。つまり、実際の小魚の泳ぎ方に似るほど対象魚に対して強くアピールし、このためルアーアクションのコントロールし易さも重要である。
【０００４】
この種の釣り用ルアーにおいて、ルアーボディの先端部付近にリップを備えた所謂クランクベイトルアーでは、遊泳中にリップで水流抵抗を受けることで潜行姿勢をとるようにしている。従来では比較的大きなリップで水流抵抗を受け易くし、ライン（釣り糸）の引き加減により意図するルアーアクションを行わせるようにしていた。
【発明の開示】
【発明が解決しようとする課題】
【０００５】
ところで、図４に示すように湖底等の障害物Ｍに接触すると、そのときの当り方によっては矢印Ｐのように大きく跳ね上がっていしまい、不規則な遊泳軌跡Ｔとなることがある。するとルアーは、湖底の岩陰や障害物Ｍ等の近くに潜む対象魚Ｆに対して遠のいてしまい、アピール効果がなくなる等の問題があった。なお、このようなルアーアクションはリップが大きい程、影響を受け易い。
【０００６】
本発明はかかる実情に鑑み、優れたルアーアクションを実現し、対象魚に対する強いアピール効果を得る釣り用ルアーを提供することを目的とする。
【課題を解決するための手段】
【０００７】
本発明の釣り用ルアーは、小魚を模した外観形状となるように形成されたルアーボディの先端部付近にリップを備えた釣り用ルアーであって、前記リップの基部付近の口元部に開設された流入口と、目部の側近に開設された流出口とを有し、前記流入口および前記流出口間に上方へ指向する流路が形成されるようにしたことを特徴とする。
【０００８】
また、本発明の釣り用ルアーにおいて、前記ルアーボディ内で前記流入口から前記流出口に向って上方へ指向するガイド壁を設けたことを特徴とする。
【０００９】
また、本発明の釣り用ルアーにおいて、前記流入口は前記ルアーボディの略正面方向を向いて開口するとともに、前記流出口は略上方を向いて開口することを特徴とする。
【００１０】
また、本発明の釣り用ルアーにおいて、前記ルアーボディの外側部におけるエラ部の下縁部から胸ビレ部にかけて、前記ルアーボディの後上方へ指向する溝状部を凹設したことを特徴とする。
【発明の効果】
【００１１】
本発明によれば、小魚を摸したルアーボディの口元部の流入口から水を取り込んで流出口から上方に流出させ、また溝状部において水流を抱き込むように上方へ誘導し、これらの作用により遊泳するルアーは水をつかみ、より潜行する方向へを水を流すことができる。したがって、湖底等の障害物に接触した場合でも、大きく跳ね上がることがなく、湖底を這うような遊泳軌跡で遊泳する。このように優れたルアーアクションを持つようにしたことで、湖底の岩陰やその他の障害物に潜む対象魚に対するピール効果が格段に強くなり、高い釣果を得ることができる。
【発明を実施するための最良の形態】
【００１２】
以下、本発明による釣り用ルアーの好適な実施の形態について、添付図面に基づいて詳細に説明する。
図１は、この実施形態における釣り用ルアーの例を示している。図において、１はルアーボディ、２はルアーボディ１の先端部付近に付設したリップ（所謂、潜水板）、３はルアーボディ１の先端に設けた糸環であり、この糸環３に釣糸が結び付けられる。また、４はフックハンガ、５はフックハンガであり、これらにフロントフック（釣針）およびリヤフックが係着する。なお、この実施形態ではリップ２は、従来ルアーに比べて比較的に小さく形成されるものであってよい。
【００１３】
ここで、本発明に係るルアーは、小魚を模した外観形状となるように形成されており、  リップ２の基部付近に口元部６を有する。また、目部７、エラ部８および胸ビレ部９等が実際の小魚を模して形成されている。
【００１４】
ルアーボディ１は、合成樹脂等の材料により小魚に似せた外観形状となるように形成され、概略中空構造を有している。ルアーボディ１はその長手方向（前後方向）に沿って二分した２つのボディハーフを相互に接合してなる。また、リップ２は、ルアーボディ１に対して適度に下方に傾斜するように設けられる。これにより釣糸を引くことでルアーは潜行姿勢をとることができる。
【００１５】
図２に示されるようにルアーボディ１の内部には、通常金属製の重り機能を有するバランスウェイトが内蔵される。この例ではバランスウェイトとして、フックハンガ４の前部付近に装着されるたとえば球状のバランスウェイト１０と、腹部に沿って装着されるたとえば板状のバランスウェイト１１を有する。これらのバランスウェイト１０，１１はリブ１２，１３等によって所定位置に固定され、この例では腹部側に配置され、このためルアー全体として低重心に設定される。
【００１６】
本発明において、特に図１（ａ）に示されるようにリップ２の基部付近の口元部６には水の流入口１４が開設される。この例では糸環３の左右両側に一対の流入口１４を有し、流入口１４はルアーボディ１の略正面方向を向いて開口する（図１（ｂ））。また、各目部７の側近には流出口１５が開設される。流出口１５は、略上方を向いて開口する。後述するように流入口１４および流出口１５間に上方へ指向する流路が形成されるようになっている。
【００１７】
図２に示すようにルアーボディ１内において、流入口１４から流出口１５に向って滑らかに湾曲して上方へ指向するガイド壁１６が設けられている。このガイド壁１６は各ボディハーフに形成されており、それらを相互に接合することでルアーボディ１の本体から仕切られた空間が形成される。図２から分かるようにこの空間は、バランスウェイト１０の略上方に位置している。
【００１８】
また、ルアーボディ１の外側部におけるエラ部８の下縁部８ａから胸ビレ部９にかけて、ルアーボディ１の後上方へ指向する溝状部１７が凹設されている。この溝状部１７は、エラ部８および胸ビレ部９がルアーボディ１（の外表面）から突出するように形成されることで、両者の間が溝状に凹んだものである。
【００１９】
本発明の釣り用ルアーにおいて、キャスティングされたルアーは着水後、釣糸を引くことでリップ２が水流抵抗を受けて、水中で前傾姿勢をとって潜行する。その際まず、流入口１４から入いる水は図１（ａ），（ｂ）の矢印Ａで示すように、ガイド壁１６によってガイドされることで該ガイド壁１６に沿って流れ、これにより流出口１５に向って上方へ指向する流路が形成される。また、エラ部８と胸ビレ部９の間においては図１（ａ）等の矢印Ｂで示すように、溝状部１７に沿ってルアーボディ１の後上方へ指向する流れが形成される。
【００２０】
上記のように流入口１４から水を取り込んで流出口１５から上方に流出させ、溝状部１７において水流を抱き込むように上方へ誘導し、これらの作用により遊泳するルアーは水をつかみ、より潜行する方向へ水を流すことができる。
【００２１】
図３に示すように遊泳するルアーは、あらゆる角度で湖底等の障害物Ｍに接触した場合でも、大きく跳ね上がることがなく、湖底を這うような遊泳軌跡Ｔで遊泳する。これにより斜めに障害物Ｍに接触しても障害物Ｍ同士の隙間へ入り込むことができ、湖底の岩陰やその他の障害物Ｍに潜む対象魚Ｆに対して、その存在をアピールする。その結果、集魚力が高まり、湖底に居着きの対象魚Ｆ等に対するアピール効果が強くなり、高い釣果を期待することができる。
【００２２】
なお、本発明の好適な実施形態を説明したが、本発明は上述した実施形態にのみ限定されるものではなく、必要に応じて適宜変更等が可能である。
たとえば、糸環３の左右両側に一対の流入口１４を有する例を説明したが、それらを繋げて全体として１つの流入口としてもよく、いずれの場合も同様な作用効果を得ることができる。
【図面の簡単な説明】
【００２３】
【図１】本発明の実施形態に係る釣り用ルアーの側面図、正面図、上面図および底面図である。
【図２】本発明の実施形態に係る釣り用ルアーの内部構造を示す図である。
【図３】本発明の実施形態におけるルアーの作用による遊泳軌跡の例を示す図である。
【図４】従来ルアーの作用を示す図である。
【符号の説明】
【００２４】
１  ルアーボディ
２  リップ
３  糸環
４，５  フックハンガ
６  口元部
７  目部
８  エラ部
９  胸ビレ部
１０，１１  バランスウェイト
１４  流入口
１５  流出口
１６  ガイド壁
１７  溝状部
Ｆ  対象魚
Ｍ  障害物
Ｔ  遊泳軌跡
【図１】
2005269934.tif 000003
【図２】
2005269934.tif 000004
【図３】
2005269934.tif 000005
【図４】
2005269934.tif 000006